(57)【要約】  本発明のアイウェアは、電気素子を有し且つ前記電気素子の電極が縁部に配置されているレンズと、前記電気素子を制御する制御部を有し且つ前記レンズを保持するフレームと、前記縁部に沿い且つ対向して延在する長尺の導体面を有し、前記制御部に接続されている導線と、前記縁部に沿い且つ対向して延在し、前記電極及び前記導体面に接触する導電片と、を備える。
2019059200.tif 000002
【特許請求の範囲】
【請求項１】
電気素子を有し且つ前記電気素子の電極が縁部に配置されているレンズと、
前記電気素子を制御する制御部を有し且つ前記レンズを保持するフレームと、
前記縁部に沿い且つ対向して延在する長尺の導体面を有し、前記制御部に接続されている導線と、
前記縁部に沿い且つ対向して延在し、前記電極及び前記導体面に接触する導電片と、を備える、アイウェア。
【請求項２】
前記縁部には複数の前記電極が配置されており、
互いに絶縁された複数の前記導線と、
互いに絶縁された複数の前記導電片と、を備えており、
複数の前記導電片は、それぞれ、互いに異なる前記電極、及び、互いに異なる前記導体面に接触する、
請求項１に記載のアイウェア。
【請求項３】
複数の前記導線は、１つのケーブル内に配置されている、
請求項２に記載のアイウェア。
【請求項４】
前記レンズは、第１レンズ及び第２レンズを含み、
前記導線は、それぞれ２つの前記導体面を有する第１導線及び第２導線を含み、
前記導電片は、第１導電片、第２導電片、第３導電片及び第４導電片を含み、
前記第１導電片は、前記第１レンズの前記縁部に配置されている一方の前記電極、及び、前記第１導線が有する一方の導体面に接触し、
前記第２導電片は、前記第２レンズの前記縁部に配置されている一方の前記電極、及び、前記第１導線が有する他方の導体面に接触し、
前記第３導電片は、前記第１レンズの前記縁部に配置されている他方の前記電極、及び、前記第２導線が有する一方の導体面に接触し、
前記第４導電片は、前記第２レンズの前記縁部に配置されている他方の前記電極、及び、前記第２導線が有する他方の導体面に接触する、
請求項２又は３に記載のアイウェア。
【請求項５】
各前記レンズは、複数の前記電気素子を有する、
請求項１乃至４のいずれかに記載のアイウェア。
【請求項６】
前記導電片は、前記レンズよりもヤング率が小さい、
請求項１乃至５のいずれかに記載のアイウェア。
【請求項７】
前記縁部に沿った方向において、前記導電片は、前記電極よりも長く、前記長尺の導体面よりも短い、
請求項１乃至６のいずれかに記載のアイウェア。
【請求項８】
前記縁部に沿った方向における、前記導電片の長さ「Ｌ２」は、前記電極の長さ「Ｌ１」の１〜２．５倍である、
請求項７に記載のアイウェア。
【請求項９】
前記縁部に沿った方向における、前記電極の長さ「Ｌ１」、前記導電片の長さ「Ｌ２」、前記長尺の導体面の長さ「Ｌ３」及び前記電極の位置の変動幅「Ｌ４」が、以下の数式１及び数式２を満たす、
請求項７に記載のアイウェア。
Ｌ２＝２．５Ｌ１        （数式１）
Ｌ３＝Ｌ２＋Ｌ４        （数式２）
【請求項１０】
前記Ｌ１は０．５ｍｍ以上３ｍｍ以下、前記Ｌ２は０．５ｍｍ以上７．５ｍｍ以下、前記Ｌ３は５．５ｍｍ以上１８．５ｍｍ以下、前記Ｌ４は５ｍｍ以上１１ｍｍ以下である、
請求項９に記載のアイウェア。
【請求項１１】
前記Ｌ１は１．５ｍｍ以上２．５ｍｍ以下、前記Ｌ２は１．５ｍｍ以上６．２５ｍｍ以下、前記Ｌ３は１０．５ｍｍ以上１７．２５ｍｍ以下、前記Ｌ４は９ｍｍ以上１１ｍｍ以下である、
請求項１０に記載のアイウェア。
【発明の詳細な説明】
【技術分野】
【０００１】
本発明は、アイウェアに関する。
【背景技術】
【０００２】
従来、駆動電圧の印加によって駆動する電気素子、例えば、屈折率が変化する液晶レンズを有するレンズを備えるアイウェアが開発されている（例えば特許文献１参照）。【０００３】
このようなアイウェアに用いられるレンズは、例えば図５に示されるようなレンズブランク４００から切り出される。レンズブランク４００は、それぞれ所定の位置に液晶レンズ４１１及び一対の電極４１２を有する。【０００４】
液晶レンズ４１１は、ユーザの瞳の正面に配置される必要がある。よって、切り出されたレンズ内で液晶レンズ４１１が所望の位置に配置されるように、ユーザの瞳の位置（瞳間の距離）やアイウェアのフレームの形状等に応じて、切断線４１３が決定される。切断線４１３が決定されると、当該切断線４１３に沿ってレンズブランク４００からレンズが切り出される。
【先行技術文献】
【特許文献】
【０００５】
【特許文献１】特表２０１５−５２２８４２号公報
【発明の概要】
【発明が解決しようとする課題】
【０００６】
レンズがレンズブランクから切り出される位置次第で、レンズの縁部における液晶レンズの電極の配置位置は変動する。例えば、切断線４１３に代えて、第２の切断線４１４に沿ってレンズブランク４００からレンズが切り出されると、切り出されたレンズにおける電極４１２の配置位置が変動する。液晶レンズの電極の配置位置が変動すると、液晶レンズを制御する制御部との間の導通を確保するために、制御部側の電極の位置を調整する必要が生じる。すなわち、液晶レンズと制御部との間の導電経路を設計変更する必要がある。【０００７】
しかしながら、レンズの縁部における液晶レンズの電極の配置位置は、レンズブランク４００からのレンズの切り出し方によって変化するので、千差万別である。よって、液晶レンズの電極の配置位置に応じて液晶レンズと制御部との間の導電経路を設計変更することは効率が悪い。このような問題は、液晶レンズ以外の電気素子をレンズが有する場合についても該当する。【０００８】
本発明は、このような状況に鑑みなされたものであり、電気素子の電極の配置位置が変動しても電気素子と制御部との間の導通が確保されるアイウェアを提供することを課題とする。
【課題を解決するための手段】
【０００９】
本発明に係るアイウェアは、電気素子を有し且つ前記電気素子の電極が縁部に配置されているレンズと、前記電気素子を制御する制御部を有し且つ前記レンズを保持するフレームと、前記縁部に沿い且つ対向して延在する長尺の導体面を有し、前記制御部に接続されている導線と、前記縁部に沿い且つ対向して延在し、前記電極及び前記導体面に接触する導電片と、を備える。
【発明の効果】
【００１０】
本発明によれば、電気素子の電極の配置位置が変動しても電気素子と制御部との間の導通が確保されるアイウェアを提供することができる。
【図面の簡単な説明】
【００１１】
【図１】実施の形態に係る電子メガネの斜視図
【図２】レンズの平面図
【図３Ａ】フレキシブル基板の底面図
【図３Ｂ】フレキシブル基板の一部拡大図
【図３Ｃ】図３Ｂ中のＣ−Ｃ断面矢視図
【図４】液晶レンズの電極、導電片及び接点形成部の相対位置及び寸法のモデル図
【図５】レンズブランクの正面図
【発明を実施するための形態】
【００１２】
以下、本発明の実施の形態について、図面を用いて詳細に説明する。以下の説明では、本発明に係るアイウェアの代表例として、電気的制御によって、その光学特性を変化させることができる液晶レンズ（電気活性領域）を有する視力矯正用の透明なレンズを備える電子メガネについて説明する。
【００１３】
図１は、本実施の形態に係る電子メガネ１００の構成の一例を示す斜視図である。電子メガネ１００は、一対のレンズ１１０及びフレーム１２０を備える。フレーム１２０は、フロント１３０、および一対のテンプル１４０を有する。なお、以下の説明では、フロント１３０が配置されている側を電子メガネ１００およびレンズ１１０の前方、テンプル１４０が配置されている側を電子メガネ１００およびレンズ１１０の後方として説明する。なお、図１には、右側用のテンプル１４０及びフロント１３０の周辺が、部分分解図として示されている。
【００１４】
一対のレンズ１１０は、電子メガネ１００を正面視したときに、ほぼ左右対称となるように形成されており、互いに同一の構成要素を有する。また、その周辺の構造も同一である。そこで、詳細については後述するが、以下の説明では、電子メガネ１００の右目用のレンズ（第１レンズ）１１０及びその周辺の構造について説明し、左目用のレンズ（第２レンズ）１１０及びその周辺の構造については説明を省略する。
【００１５】
レンズ１１０は、液晶レンズ１１１及び一対の電極１１２を有している。なお、電極１１２としてはＩＴＯ等の透明電極が用いられている。
【００１６】
図２は右目用のレンズ１１０の平面図である。レンズ１１０はその厚み方向に複数の層が重なる多層構造となっており、液晶レンズ１１１を有する部位において、液晶層（不図示）を前後から挟む一対の導電層（不図示）を有している。一対の導電層はそれぞれ電極１１２に接続されている。電極１１２を介して一対の導電層間に電圧を印加することにより、液晶層を活性化し、液晶レンズ１１１の屈折率を変化させることができる。
【００１７】
レンズ１１０は、後に説明するリム１３１（図１）の形状に合った形状となるように、レンズブランクから切り出されて形成されている。
【００１８】
レンズ１１０の外周を取り囲む縁部１１３上に、一対の電極１１２の端部が露出し、配置されている。各電極１１２は、レンズ１１０の厚み方向において、液晶層の厚みの分ずれて配置されている。また、各電極１１２の配置位置及びそれらの間隔は、レンズ１１０が切り出されるレンズブランクや、レンズブランク上の切り出し位置に応じて変化する。一対の電極１１２の間隔は、縁部１１３に沿った方向において、一般に、１０〜２１ｍｍである。
【００１９】
図１に戻り、フレーム１２０及びその周辺について説明する。フレーム１２０を構成するフロント１３０は、一対のレンズ１１０をそれぞれ保持する一対のリム１３１と、一対のリム１３１を互いに接続するブリッジ１３２とを有する。フロント１３０は、使用者の鼻に接触しうる一対の鼻パッド１３３を有する。
【００２０】
フロント１３０の材料は、特に限定されず、例えば、チタン、アルミおよびステンレス等の金属、ポリアミド、アセテート、セルロイド、ポリエーテルイミドおよびポリウレタン等の樹脂、あるいはカーボン等から適宜選択される。
【００２１】
フレーム１２０を構成する一対のテンプル１４０は、互いにほぼ左右対称な外形となるように形成されている。また、制御部１５０及び電源１６０は、右側用のテンプル１４０に内蔵されている。そこで、以下、右側用のテンプル１４０について説明し、左側用のテンプル１４０についての説明は省略する。なお、制御部１５０及び電源１６０は左側用のテンプル１４０に内蔵されてもよい。
【００２２】
テンプル１４０は、その前端部において、ヒンジを介して回転可能にフロント１３０に取り付けられている。
【００２３】
テンプル１４０は、検出部１４２、制御部１５０、電源１６０及びフレキシブル基板（フレキシブルプリント配線板あるいはＦＰＣともいう）２００の一部を内部に収容する筐体１４１を有する。
【００２４】
筐体１４１は、テンプル１４０の外形を構成している。筐体１４１は、一方向に沿って延在している。筐体１４１の形状は、特に限定されない。使用者が、検出部１４２の位置を手で触れるだけで認識し易くするために、筐体１４１の一部の形状と、筐体１４１の他の部分の形状とを、互いに異なるものとしてもよい。本実施の形態では、筐体１４１の一部の形状と、筐体１４１の他の部分の形状とは、互いに異なっている。筐体１４１の右側面（電子メガネ１００の外側面）には、凸条が形成されている。筐体１４１の右側面の、検出部１４２に対応する位置は、平面形状となるように形成されている。これにより、使用者は、検出部１４２が配置されている位置を容易に認識することができる。
【００２５】
筐体１４１の材料は、特に限定されず、例えば、チタン、アルミおよびステンレス等の金属、ポリアミド、アセテート、セルロイド、ポリエーテルイミドおよびポリウレタン等の樹脂、あるいはカーボン等から適宜選択される。なお、使用者が、検出部１４２の位置を認識し易くする観点から、筐体１４１の一部の材質と、筐体１４１の他の部分の材質とは、互いに異なっていてもよい。また、筐体１４１の材料として金属が用いられる場合、筐体１４１と検出部１４２とは絶縁される。
【００２６】
検出部１４２は、例えば、静電容量方式の検出パッドを有する。検出パッドとしては、タッチセンサとして使用されうる公知の検出パッドが使用されうる。検出部１４２は、筐体１４１の、検出部１４２に対応する位置に対象物（使用者の指など）が接触したときに、当該接触によって生じる静電容量の変化を検出する。
【００２７】
制御部１５０は、検出部１４２の検出パッド及び液晶レンズ１１１に電気的に接続されている。制御部１５０は、後に説明する液晶レンズ１１１に印加する電圧を制御して、液晶レンズ１１１の光学特性を制御する。例えば、制御部１５０は、検出部１４２が対象物の接触を検出したときに、一対の液晶レンズ１１１に電圧を印加するか、またはその電圧の印加を停止して、液晶レンズ１１１の屈折率を切替える。制御部１５０は、例えば、検出パッドの駆動と、検出パッドにおける静電容量の変化の検出と、液晶レンズ１１１への電圧の印加とを制御するための制御回路を有する。制御部１５０は、例えば、検出パッドにおける静電容量の変化についての検出結果を受信しうるように、検出パッドに接続された状態で、検出部１４２に実装されている。
【００２８】
電源１６０は、検出部１４２、制御部１５０および液晶レンズ１１１に電力を供給する。電源１６０は、テンプル１４０の他端部（後端部）に着脱可能に保持される充電式のバッテリーパックであってもよい。電源１６０の例には、ニッケル水素充電池が含まれる。
【００２９】
フロント１３０とレンズ１１０との間には、フレキシブル基板２００及び導電片３００が配置されている。フレキシブル基板２００及び導電片３００は、一対の電極１１２と制御部１５０とを電気的に接続する導電路を構成する。
【００３０】
図３Ａは、フレキシブル基板２００の底面図、図３Ｂは、図３Ａ中にＢで示される部分の拡大図、図３Ｃは、図３Ｂ中のＣ−Ｃ断面矢視図である。図３Ｂ及び図３Ｃには、導電片３００も併せて示されている。
【００３１】
フレキシブル基板２００は、一対の絶縁層２０１が導線層２０２を挟む多層構造を有している。フレキシブル基板２００は、その一端に設けられた接続部２１０を介して、制御部１５０に接続される。フレキシブル基板２００は、テンプル１４０及びフロント１３０に沿って延在するように、テンプル１４０の内部、フロント１３０とレンズ１１０との間、及びブリッジ１３２の内部、下部又は後方に配置される。
【００３２】
フレキシブル基板２００の全長は、フロント１３０の左右両端間の距離とフロント１３０と制御部１５０の間の距離との和に略相当する。また、フレキシブル基板２００の幅はその全域において、フロント１３０の幅（前後方向の厚さ）よりも小さい。すなわち、フレキシブル基板２００は、全体的に細長い形状を有している。フレキシブル基板２００の幅は、例えば、１ｍｍ以上５ｍｍ以下である。
【００３３】
絶縁層２０１は、柔軟な絶縁体、例えば合成樹脂で形成されている。
【００３４】
導線層２０２には、それぞれ銅等の導体で形成され、互いに略平行に延在する第１導線２２０及び第２導線２３０が配置されている。第１導線２２０と第２導線２３０との間は絶縁されている。第１導線２２０は、液晶レンズ１１１を構成する一対の導電層の内、後側（ユーザ側）に配置された導電層（すなわち液晶レンズ１１１）と制御部１５０との間の導電路を構成する。第２導線２３０は、液晶レンズ１１１を構成する一対の導電層の内、前側に配置された導電層（すなわち液晶レンズ１１１）と制御部１５０との間の導電路を構成する。なお、導電層２０２内に配置される導線の数は、レンズ１１０の縁部１１３に配置される電極１１２の数に応じた数である。
【００３５】
第１導線２２０は、その一部に、第１接点形成部２２１及び第２接点形成部２２２を有している。また、第２導線２３０は、その一部に、第３接点形成部２３１及び第４接点形成部２３２を有している。これらの接点形成部２２１〜２３２は、それぞれ、導電片３００と接触することによって電気的接点を形成する。
【００３６】
第１接点形成部２２１及び第３接点形成部２３１は、それぞれ、右目用のレンズ１１０の縁部１１３に配置された一対の電極１１２と、導電片３００を介して接続される。また、第２接点形成部２２２及び第４接点形成部２３２は、それぞれ、左目用のレンズ１１０の縁部１１３に配置された一対の電極１１２と、導電片３００を介して接続される。
【００３７】
第１接点形成部２２１、第２接点形成部２２２、第３接点形成部２３１及び第４接点形成部２３２は、それぞれ、第１の長尺の導体面２２１Ｓ、第２の長尺の導体面２２２Ｓ、第３の長尺の導体面２３１Ｓ及び第４の長尺の導体面２３２Ｓを有する。これらの長尺の導体面２２１Ｓ〜２３２Ｓは、いずれも、レンズ１１０の縁部１１３に沿い且つ対向して延在する。これらの長尺の導体面２２１Ｓ〜２３２Ｓは、いずれも、所定の範囲にわたって、縁部１１３に沿って一定の幅で延在する。また、これらの長尺の導体面２２１Ｓ〜２３２Ｓは、縁部１１３に沿って延在する範囲の全域に広がっている。つまり、各長尺の導体面２２１Ｓ〜２３２Ｓが縁部１１３に沿って延在する範囲内に、孔が設けられたり絶縁体で覆われたりするなどして、各長尺の導体面２２１Ｓ〜２３２Ｓが欠損している部位はない。
【００３８】
以上のように構成されるフレキシブル基板２００は、１つのケーブルとして機能する。
【００３９】
導電片３００は、例えば導電ゴムのような、柔軟性と導電性を有する素材で形成されている。本明細書において、柔軟性を有するとは、レンズ１１０及びフロント１３０よりもヤング率が小さいということを意味する。導電片３００は、第１の長尺の導体面２２１Ｓ、第２の長尺の導体面２２２Ｓ、第３の長尺の導体面２３１Ｓ及び第４の長尺の導体面２３２Ｓ上に、１つずつ配置される。導電片３００は、例えば、両面テープで各長尺の導体面２２１Ｓ〜２３２Ｓへ取り付けられる。この際、両面テープは、当然、導電片３００と各長尺の導体面２２１Ｓ〜２３２Ｓとの間の導通を妨げない寸法とされる。
【００４０】
以上のように構成される電子メガネ１００においては、フロント１３０とレンズ１１０の縁部１１３との間に、フロント１３０側から順にフレキシブル基板２００及び導電片３００が配置される。このとき、導電片３００は、上側のフロント１３０及びフレキシブル基板２００と、下側のレンズ１１０との間にやや上下に圧縮された状態で配置される。よって、導電片３００は、電極１１２及び各長尺の導体面２２１Ｓ〜２３２Ｓと密着し、確実に電気的に導通することができる。しかも、レンズ１１０よりもヤング率が小さい、すなわち柔軟であるため、レンズ１１０に過度な応力が加わりレンズ１１０に歪みが生じることが防止される。
【００４１】
また、レンズ１１０の縁部１１３に配置された電極１１２に対向する位置に、縁部１１３に沿った方向に延在する第１の長尺の導体面２２１Ｓ〜第４の長尺の導体面２３２Ｓが配置されている。よって、レンズブランクからレンズ１１０が切り出される位置が変わって、レンズ１１０の縁部１１３における電極１１２の位置が変わっても、各長尺の導体面２２１Ｓ〜２３２Ｓは、電極１１２に確実に対向することができる。したがって、レンズブランクからレンズ１１０が切り出される位置に応じてフレキシブル基板２００やその周辺に配置される部材の設計を変更することなく、電極１１２を、導電片３００を介して各接点形成部２２１〜２３２と電気的に接続することができる。
【００４２】
しかも、各長尺の導体面２２１Ｓ〜２３２Ｓは、各長尺の導体面２２１Ｓ〜２３２Ｓが縁部１１３に沿って延在する範囲の全域に広がっている。つまり、縁部１１３に沿って延在する範囲内に、孔が設けられたり絶縁体で覆われたりするなどして、各長尺の導体面２２１Ｓ〜２３２Ｓが欠損している部位がない。よって、各長尺の導体面２２１Ｓ〜２３２Ｓは、より確実且つより広い面積で、導電片３００と導通可能に接触することが可能である。したがって、電極１１２を、導電片３００を介してより確実に各接点形成部２２１〜２３２と導通させることができ、且つ、液晶レンズ１１１駆動時の電力ロスを最小限にすることができる。
【００４３】
続いて、フレキシブル基板２００の周辺に配置される部材の寸法及びそれらの関係について説明する。図４は、右目用のレンズ１１０の周辺における、液晶レンズ１１１の電極１１２、導電片３００及び長尺の導体面２２１Ｓ、２３１Ｓの相対位置及び寸法のモデル図である。図４において矢印で示される方向は、レンズ１１０の縁部１１３が延在する方向である。なお、図４には左目用レンズ１１０の周辺の状態は示されていないが、以下の説明が左目用レンズ１１０の周辺についても同様に当てはまることは言うまでも無い。
【００４４】
レンズ１１０の縁部１１３に沿った方向における、電極１１２の長さ「Ｌ１」は、一般に、０．５ｍｍ以上３ｍｍ以下であり、好ましくは、１．５ｍｍ以上２．５ｍｍ以下である。
【００４５】
縁部１１３に沿った方向における、導電片３００の長さ「Ｌ２」は、各長尺の導体面２２１Ｓ、２３１Ｓの長さ「Ｌ３」よりも短い。よって、フレキシブル基板２００、導電片３００及びレンズ１１０をフロント１３０内に組み付ける際、導電片３００がフレキシブル基板２００とともにフロント１３０の内面に沿って湾曲して縁部１１３から浮き上がり、導電片３００と電極１１２とが離間してしまうことを防止できる。更に、導電片３００と電極１１２の間における接触圧力を十分に高めることができ、両者の間における導通を確実に確保することができる。これらの効果を得るためには、レンズ１１０の縁部１１３に沿った方向における、導電片３００の長さ「Ｌ２」は、電極１１２の長さ「Ｌ１」に対し、１〜４倍であることが好ましく、１〜２．５倍であることがより好ましく、２．５倍であることが特に好ましい、すなわち、以下の数式１の関係を満たすことが特に好ましい。
【００４６】
Ｌ２＝２．５Ｌ１        （数式１）
【００４７】
縁部１１３に沿った方向における、導電片３００の長さ「Ｌ２」は、上記したように、電極１１２の長さ「Ｌ１」以上である。よって、フレキシブル基板２００及び／又は導電片３００の、レンズ１１０とフロント１３０との間における組付け位置に多少の誤差が生じても、確実に、導電片３００を電極１１２及び各長尺の導体面２２１Ｓ、２３１Ｓと接触させることができる。
【００４８】
具体的には、レンズ１１０の縁部１１３に沿った方向における、導電片３００の長さ「Ｌ２」は、好ましくは０．５ｍｍ以上７．５ｍｍ以下、より好ましくは１．５ｍｍ以上６．２５ｍｍ以下である。
【００４９】
また、図４中に破線で示されるように、レンズブランクからレンズ１１０を切り出す際、ユーザの瞳の位置（瞳間の幅）やフレーム１２０の形状に応じて、レンズ１１０の縁部１１３における電極１１２の位置は変動しうる。この変動幅「Ｌ４」は、縁部１１３に沿った方向において、一般に、５ｍｍ以上１１ｍｍ以下であり、好ましくは、９ｍｍ以上１１ｍｍ以下である。そこで、縁部１１３に沿った方向における、各長尺の導体面２２１Ｓ、２３１Ｓの長さ「Ｌ３」は、以下の数式２を満たす寸法とすることが好ましい。
【００５０】
Ｌ３＝Ｌ２＋Ｌ４        （数式２）
【００５１】
このような関係が満たされることによって、電極１１２の位置の変動に関わらず、より確実に導電片３００と各長尺の導体面２２１Ｓ、２３１Ｓとを接触させることができる。
【００５２】
具体的には、各長尺の導体面２２１Ｓ、２３１Ｓの電極１１２の縁部１１３に沿った方向における長さＬ３は、好ましくは５．５ｍｍ以上１８．５ｍｍ以下、より好ましくは１０．５ｍｍ以上１７．２５ｍｍ以下である。
【００５３】
なお、各長尺の導体面２２１Ｓ、２３１Ｓの長さ「Ｌ３」は、厳密に導電片３００の長さ「Ｌ２」と上記変動幅「Ｌ４」との和である必要はなく、多少の増減が許容されることは言うまでもない。
【００５４】
以上本発明の実施形態について説明したが、本発明は上記実施形態に限定されるものではなく、本発明の趣旨を逸脱しない範囲で種々の変更が可能である。例えば、本発明に係るアイウェアには、視力補正レンズのようにユーザの視力向上のための補助機構を有する眼鏡（電子メガネおよびサングラスを含む）及びゴーグルが含まれる。また、本発明に係るアイウェアには、ユーザの視界または眼に対して情報提示を行う機構を有する種々のデバイス（例えば、眼鏡型ウェアラブル端末や、ヘッドマウントディスプレイなど）が含まれる。
【００５５】
また、本発明に係るアイウェアは、視力または視界向上のための補助機構や情報提示のための機構などを、使用者の目の前又は周囲に保持できる構成であればよい。本発明に係るアイウェアは、両耳に掛けられる眼鏡型に限られず、頭部や片耳などに装着される型でもよい。また、本発明に係るアイウェアは、両眼用のアイウェアに限られず、片眼用のアイウェアであってもよい。
【００５６】
また、本発明に係るアイウェアにおいて、各レンズは、それぞれ複数の電気素子を有していてもよい。例えば、各レンズが、それぞれ、エレクロ（調光）用の液晶レンズと、老眼矯正用の液晶レンズを有していてもよい。また、各レンズが、多焦点に対応できるように複数の視力矯正用液晶レンズを有していてもよい。なお、これらの場合、各レンズの縁部には、４つの電極が配置されることになる。
【００５７】
なお、１つの電気素子が有する電極の数は２つに限られず、１つ又は３つ以上であってもよいことは勿論である。
【００５８】
２０１７年９月１９日出願の特願２０１７−１７８９６５の日本出願に含まれる明細書、図面および要約書の開示内容は、全て本願に援用される。
【産業上の利用可能性】
【００５９】
本発明は、電気素子を有するレンズを備えるアイウェアとして好適に利用される。
【符号の説明】
【００６０】
１００  電子メガネ（アイウェア）
１１０  レンズ
１１１、４１１  液晶レンズ
１１２、４１２  電極
１１３  縁部
１２０  フレーム
１３０  フロント
１３１  リム
１３２  ブリッジ
１３３  鼻パッド
１４０  テンプル
１４１  筐体
１４２  検出部
１５０  制御部
１６０  電源
２００  フレキシブル基板
２０１  絶縁層
２０２  導線層
２１０  接続部
２２０  第１導線
２２１  第１接点形成部
２２１Ｓ  第１の長尺の導体面
２２２  第２接点形成部
２２２Ｓ  第２の長尺の導体面
２３０  第２導線
２３１  第３接点形成部
２３１Ｓ  第３の長尺の導体面
２３２  第４接点形成部
２３２Ｓ  第４の長尺の導体面
３００  導電片
４００  レンズブランク
４１３  切断線
４１４  第２の切断線
【図１】
2019059200.tif 000003
【図２】
2019059200.tif 000004
【図３Ａ】
2019059200.tif 000005
【図３Ｂ】
2019059200.tif 000006
【図３Ｃ】
2019059200.tif 000007
【図４】
2019059200.tif 000008
【図５】
2019059200.tif 000009
【国際調査報告】
2019059200.tif 000010
2019059200.tif 000011
2019059200.tif 000012
2019059200.tif 000013